(57)【要約】【課題】ユーザ（視聴者）と装置との間の距離に応じて視聴制限を行う映像表示装置であって、画面サイズ及び映像の解像度に応じて視聴制限を行う距離を変化させる映像表示装置の提供。【解決手段】映像の解像度及び画面サイズに応じた視聴距離が格納されたテーブルを記憶部１０２に備えさせ、表示されている映像の解像度をＭＰＥＧ部１０７によって判別し、当該解像度に応じた視聴距離をテーブルから取得することにより、視聴者センサ部１１１によって検出される情報により前記視聴距離よりも画面に人が近づいたと判断された場合には、警告部１１０によって警告を行った後に、電源制御部１０９によって電源オフ処理（視聴制限）を行う。【選択図】図１
2008042353.tif 000002
【特許請求の範囲】
【請求項１】
複数の解像度の映像を表示可能な映像表示装置であって、映像信号の解像度を検出する解像度検出部と、装置全体の制御や各種演算処理を行う制御部と、表示中の映像に視聴制限を加える視聴制限部と、人の存在及び装置からの距離情報を検出する視聴者センサ部と、映像の解像度及び画面サイズに応じた視聴距離情報が対応付けられて記憶されている記憶部と、を備えることにより、表示中の映像の解像度を前記解像度検出部によって判別し、当該解像度に対応する前記視聴距離情報と、前記視聴者センサ部によって検出される視聴者の装置からの距離情報と、を比較し、視聴者の装置からの距離が前記視聴距離情報より近いと判断される場合には、前記視聴制限部によって表示中の映像に視聴制限を加えることを特徴とする映像表示装置。
【請求項２】
視聴者に対する警告を行う警告部を備えることにより、前記視聴制限処理を実行する前に、前記警告部によって視聴者に対する警告を行うことを特徴とする請求項１記載の映像表示装置。
【請求項３】
装置内の各部への電力供給を行う電源部と、当該電源部から装置内の各部への電力供給の制御を行う電源制御部と、を備えることにより、前記視聴制限部による前記視聴制限処理を、前記電源制御部による電源オフ処理とすることを特徴とする請求項１又は請求項２に記載の映像表示装置。
【請求項４】
視聴者センサ部を、焦電センサと超音波センサとによって構成したことを特徴とする請求項１乃至請求項３の何れか１つに記載の映像表示装置。
【請求項５】
請求項１記載の映像表示装置に、表示中の映像の解像度を判別するステップと、当該解像度に対応する前記視聴距離情報を前記記憶部から取得するステップと、視聴者の装置からの距離情報を取得するステップと、これらにより取得した前記視聴距離情報と装置からの距離情報とを比較するステップと、この結果視聴者の装置からの距離が前記視聴距離情報より近いと判断される場合には前記視聴制限部によって表示中の映像に視聴制限を加えるステップと、を実行させることを特徴とする視聴制限プログラム。
【請求項６】
前記視聴者の装置からの距離が前記視聴距離情報より近いと判断された場合に視聴者に対する警告を行うステップと、当該警告後所定期間を経過したか否かを判別するステップと、当該所定期間を経過する際においても前記視聴者の装置からの距離が前記視聴距離情報より近いか否かを判別するステップと、これにより近いと判断された場合には装置の電源をオフ状態とするステップと、を実行させることを特徴とする請求項５記載の視聴制限プログラム。
【請求項７】
複数の解像度の映像を表示可能であり且つ視聴者の装置からの距離を測定可能な映像表示装置における視聴制限方法であって、映像の解像度及び画面サイズに応じた視聴距離情報を管理することにより、表示中の映像の解像度を判別し、当該解像度に対応する前記視聴距離情報と、視聴者の装置からの距離情報と、を比較し、視聴者の装置からの距離が前記視聴距離情報より近いと判断される場合には、表示中の映像に視聴制限を加えることを特徴とする視聴制限方法。
【発明の詳細な説明】
【技術分野】
【０００１】
本発明は、テレビジョン受像機（以下単にテレビとする）などの映像表示装置に関し、特に、ユーザ（視聴者）と装置との間の距離に応じて視聴制限を行う映像表示装置に関する。
【背景技術】
【０００２】
テレビに代表される映像表示装置は、人体への悪影響（視力の低下や疲労）を及ぼし得るものであるため、あまり画面に接近してこれを視聴することは好ましいものはない。この点に鑑みて、人（視聴者）が所定距離よりテレビに近づいた場合に、警告や電源オフ処理をさせるものに関する従来技術が、特許文献１〜特許文献４などによって開示されている。
【０００３】
【特許文献１】特開平６−３８１４５号公報
【特許文献２】特開平８−６５５９９号公報
【特許文献３】特開２００１−７４８５４号公報
【特許文献４】特開２００４−１２００４９号公報
【発明の開示】
【発明が解決しようとする課題】
【０００４】
テレビに代表される映像表示装置に表示される映像には、解像度の異なるもの（例えば、ＳＤＴＶ（Ｓｔａｎｄａｒｄ−Ｄｅｆｉｎｉｔｉｏｎ  Ｔｅｌｅｖｉｓｉｏｎ）とＨＤＴＶ（Ｈｉｇｈ−Ｄｅｆｉｎｉｔｉｏｎ  Ｔｅｌｅｖｉｓｉｏｎ））が存在しており、複数の解像度の映像を表示可能な映像表示装置も存在している。高解像度の映像は、低解像度の映像に比して映像を構成する画素が細かく、画面に近づいても映像の粗さが目立たないという特徴を有する。これに基づいて解像度及び画面サイズに応じた“標準視聴条件”や“最適視聴距離”というような概念が存在しており、高解像度の映像は、低解像度のものより画面に接近して視聴しても映像の粗さが気にならないということが、高解像度の映像表示装置の利点の１つとしてあげられている。
【０００５】
しかし、上記した従来技術では、解像度や画面サイズという点に考慮がなされていないため、視聴者が装置に対して所定距離以上近づいた場合には、映像の解像度の別に関係なく電源オフなどの視聴制限が行われることとなる。従って、高解像度の映像であっても低解像度の場合と同様の距離で視聴制限されてしまい、「低解像度のものより画面に接近して視聴しても映像の粗さが気にならない」という高解像度の映像表示装置の利点の意義が消失してしまう虞のあるものであった。
【０００６】
本発明は、上述した点に鑑み、ユーザ（視聴者）と装置との間の距離に応じて視聴制限を行う映像表示装置であって、画面サイズ及び映像の解像度に応じて視聴制限を行う距離を変化させる映像表示装置を提供することを目的とする。
【課題を解決するための手段】
【０００７】
請求項１の映像表示装置は、複数の解像度の映像を表示可能な映像表示装置であって、映像信号の解像度を検出する解像度検出部と、装置全体の制御や各種演算処理を行う制御部と、表示中の映像に視聴制限を加える視聴制限部と、人の存在及び装置からの距離情報を検出する視聴者センサ部と、映像の解像度及び画面サイズに応じた視聴距離情報が対応付けられて記憶されている記憶部と、を備えることにより、表示中の映像の解像度を前記解像度検出部によって判別し、当該解像度に対応する前記視聴距離情報と、前記視聴者センサ部によって検出される視聴者の装置からの距離情報と、を比較し、視聴者の装置からの距離が前記視聴距離情報より近いと判断される場合には、前記視聴制限部によって表示中の映像に視聴制限を加えることを特徴とする。
【０００８】
上記構成によれば、映像の解像度及び画面サイズに応じた“視聴距離情報”に基づいて、視聴制限の実行の可否が判断される。即ち、表示中の映像の解像度の別に応じて、視聴制限が行われる距離（ユーザと装置との距離）も変化することとなる。なお、「視聴制限」とは、通常の視聴状態を妨げる何らかの制限であり、例えば、装置の電源オフや、画面の輝度レベルを下げる（画面を暗くする）ことや、画面の一部若しくは全部を消すことや、何らかの画像若しくは文字を表示映像に重畳して表示させることなどである。
【０００９】
請求項２の映像表示装置は、請求項１記載の映像表示装置であって、視聴者に対する警告を行う警告部を備えることにより、前記視聴制限処理を実行する前に、前記警告部によって視聴者に対する警告を行うことを特徴とする。
【００１０】
上記構成によれば、視聴制限が課せられる前に、視聴者に対する警告がなされることとなる。「警告」は、警告を示す文字情報を画面表示するものや音声を出力させるものの他、発光装置を（専用のインジゲータを設けて）発光させるものなどであってもよい。なお、「視聴制限処理を実行する前に〜警告を行う」としているが、このことは必ずしも“視聴制限”と“警告”とが全く異なるものであるといことを示しているというものではない。即ち、例えば“警告”が映像に警告文を重畳して表示させるものである場合には、“警告”をすること自体が“視聴制限（通常の視聴状態が妨げられる）”の一部となるものであり、“警告”は段階的な視聴制限の一部をなすものであると言う事ができる。
【００１１】
請求項３の映像表示装置は、請求項１又は請求項２に記載の映像表示装置であって、装置内の各部への電力供給を行う電源部と、当該電源部から装置内の各部への電力供給の制御を行う電源制御部と、を備えることにより、前記視聴制限部による前記視聴制限処理を、前記電源制御部による電源オフ処理とすることを特徴とする。
【００１２】
上記構成によれば、視聴制限として装置の電源オフ処理が行われることとなる。なお、「電源オフ処理」とは、いわゆるスタンバイ状態（装置内の不要な部分への電源供給を停止し、マイコン等の一部の部分は通電状態である状態）にするものや、装置の主電源をオフとさせるもの（この場合であってもマイコンは通電状態である場合もある）などを示すものである（装置全体の完全な“電源オフ”に限定するものではない）。
【００１３】
請求項４の映像表示装置は、請求項１乃至請求項３の何れか１つに記載の映像表示装置であって、視聴者センサ部を、焦電センサと超音波センサとによって構成したことを特徴とする。
【００１４】
上記構成によれば、人の存在及び装置からの距離情報を検出するための“視聴者センサ部”が、焦電センサと超音波センサの２つのセンサによって構成される。
【００１５】
請求項５の視聴制限プログラムは、請求項１記載の映像表示装置に、表示中の映像の解像度を判別するステップと、当該解像度に対応する前記視聴距離情報を前記記憶部から取得するステップと、視聴者の装置からの距離情報を取得するステップと、これらにより取得した前記視聴距離情報と装置からの距離情報とを比較するステップと、この結果視聴者の装置からの距離が前記視聴距離情報より近いと判断される場合には前記視聴制限部によって表示中の映像に視聴制限を加えるステップと、を実行させることを特徴とする。
【００１６】
請求項６の視聴制限プログラムは、請求項５記載の視聴制限プログラムであって、前記視聴者の装置からの距離が前記視聴距離情報より近いと判断された場合に視聴者に対する警告を行うステップと、当該警告後所定期間を経過したか否かを判別するステップと、当該所定期間を経過する際においても前記視聴者の装置からの距離が前記視聴距離情報より近いか否かを判別するステップと、これにより近いと判断された場合には装置の電源をオフ状態とするステップと、を実行させることを特徴とする。
【００１７】
請求項７の視聴制限方法は、複数の解像度の映像を表示可能であり且つ視聴者の装置からの距離を測定可能な映像表示装置における視聴制限方法であって、映像の解像度及び画面サイズに応じた視聴距離情報を管理することにより、表示中の映像の解像度を判別し、当該解像度に対応する前記視聴距離情報と、視聴者の装置からの距離情報と、を比較し、視聴者の装置からの距離が前記視聴距離情報より近いと判断される場合には、表示中の映像に視聴制限を加えることを特徴とする。
【発明の効果】
【００１８】
本発明の請求項１の、複数の解像度の映像を表示可能な映像表示装置であって、映像信号の解像度を検出する解像度検出部と、装置全体の制御や各種演算処理を行う制御部と、表示中の映像に視聴制限を加える視聴制限部と、人の存在及び装置からの距離情報を検出する視聴者センサ部と、映像の解像度及び画面サイズに応じた視聴距離情報が対応付けられて記憶されている記憶部と、を備えることにより、表示中の映像の解像度を前記解像度検出部によって判別し、当該解像度に対応する前記視聴距離情報と、前記視聴者センサ部によって検出される視聴者の装置からの距離情報と、を比較し、視聴者の装置からの距離が前記視聴距離情報より近いと判断される場合には、前記視聴制限部によって表示中の映像に視聴制限を加えることを特徴とする映像表示装置によれば、映像の解像度及び画面サイズに応じた“視聴距離情報”に基づいて、視聴制限の実行の可否が判断される。即ち、表示中の映像の解像度の別に応じて、視聴制限が行われる距離（ユーザと装置との距離）も変化することとなるため、それぞれの解像度に応じた適切な視聴距離において映像を視聴させることが可能となる。
【００１９】
本発明の請求項２の、視聴者に対する警告を行う警告部を備えることにより、前記視聴制限処理を実行する前に、前記警告部によって視聴者に対する警告を行うことを特徴とする請求項１記載の映像表示装置によれば、視聴制限が課せられる前に、視聴者に対する警告がなされることとなる。従って、いきなり電源オフなどの“視聴制限”が行われるのではなく、警告の後に電源オフなどの“視聴制限”が実行されるため、ユーザの利便性に優れる。
【００２０】
本発明の請求項４の、視聴者センサ部を、焦電センサと超音波センサとによって構成したことを特徴とする請求項１乃至請求項３の何れか１つに記載の映像表示装置によれば、人の存在及び装置からの距離情報を検出するための“視聴者センサ部”が、焦電センサと超音波センサの２つのセンサによって構成される。従って、焦電センサのみとした場合に比して距離情報検出の精度を高めることができると共に、比較的安価に“視聴者センサ部”を構成できる。
【発明を実施するための最良の形態】
【００２１】
以下、本発明の具体的実施例について、図面を参照しながら説明する。なお、以下の実施態様は、本発明を具体化する際の一形態であって、本発明をその範囲内に限定するためのものではない。
【００２２】
図１は、本実施例のデジタル放送受信装置（映像表示装置）の主に本発明に関する部分の構成の概略を示したブロック図であり、図２は同デジタル放送受信装置（以下単にデジタルテレビとする）の本発明に関する処理の概略を示したフローチャートである。
【００２３】
図１に示されるように、デジタルテレビ１は、装置全体の制御や各種演算処理などを行う制御部１０１と、記憶部１０２と、各周波数のデジタル放送波を受信するチューナ部１０６と、チューナ部１０６によって受信された信号のデジタル復調処理や、ＭＰＥＧ規格に準じた複号化処理などを行うＭＰＥＧ部１０７と、ユーザに対する入力インターフェースである操作部１０３（本体操作部１０３２と、リモコン装置１０３４と、リモコン装置１０３４からの信号を受信する受光部１０３３と、本体操作部１０３２若しくは受光部１０３３からの信号内容を判別するキー判別部１０３１によって構成される）と、ＭＰＥＧ部１０７から出力された映像データを表示部１０５へと表示させる処理を行う表示処理部１０４と、表示部１０５と、人の存在及び装置からの距離を示す情報を検出する視聴者センサ部１１１と、商用電源から直流電源を生成して装置内の各部への電力供給を行う電源部１０８（なお、図中では主に信号ラインのみを示しており、電源供給ラインは示してないが、実際には装置内の各部への電源供給ラインが設けられる）と、当該電源部１０８からの装置内の各部への電力供給の制御を行う電源制御部１０９と、所定の警告メッセージを生成する警告部１１０と、などを備える。
【００２４】
視聴者センサ部１１１は、焦電センサ１１１１と超音波センサ１１１２とによって構成される。焦電センサ１１１１は赤外線を感知するセンサであり、人が発する赤外線を検知しこれに応じた出力を制御部１０１へ送出する。超音波センサ１１１２は超音波を発信して（制御部１０１の指示に応じて超音波を発信する）検知物体からの反射波を検知するセンサであり、検知した反射波に応じた出力（電圧）を制御部１０１へ送出するものである。なお、ＭＰＥＧ部１０７は受信した映像の解像度を検出する機能を備えるため、解像度検出部としても動作するものである。
【００２５】
記憶部１０２には、映像の解像度及び画面サイズに応じた視聴距離情報が対応付けられた視聴距離テーブルが格納されている。図６には視聴距離テーブル６０の構成の一例を示した。映像の解像度は例えば図４に示したように“標準映像（以下単にＳＤ映像などとする）”、“高精細映像（以下単にＨＤ映像などとする）”、“超高精細映像”（本実施例のデジタルテレビは超高精細映像には対応していない）等と称されるものが存在している。また、それぞれの解像度（及び画面サイズ）に応じて標準視聴条件が設けられており、解像度が高いものほど画面に近づいて視聴できる（近づいても画像の粗さが気にならない）ものとされている。図４中の標準視聴条件における“Ｈ”は画面の高さを示すものであり、従って、“標準視聴条件”は解像度と画面サイズに基づいて定められるものとなる。なお、図５には画面のサイズ（インチ表示であり、“Ｗ”はワイド画面を示す）と、画面の対角距離及び高さを示した。図６における視聴距離テーブル６０では、ＳＤ映像の視聴距離を５Ｈ（Ｈは画面高さ）とし、ＨＤ映像の視聴距離を２Ｈとした条件が格納されている。
【００２６】
以上の構成を有するデジタルテレビ１の本発明に関する動作の概略を、図２を参照しつつ説明する。
【００２７】
なお、図２の処理は本発明における視聴制限（映像の解像度及びテレビの画面サイズに応じて、視聴制限を行う距離（ユーザの画面からの距離）を変化させる）処理を示すものであり、当該処理の実行の可否はユーザの設定によって定められるものである。即ち、例えば図３に示したようなメニュー画面によってユーザの設定を取得して記憶部１０２に保存しておき、当該ユーザ設定が“オン”である場合に、図２の処理が実行されるものである。
【００２８】
ユーザ設定が“オン”であることにより図２の処理が実行される場合には、受信番組の表示処理（ステップ２０１）が行われた際に、ＭＰＥＧ部１０７によって表示中の映像の解像度を取得し（ステップ２０２）、制御部１０１によって当該解像度及び画面サイズに応じた視聴距離を、視聴距離テーブル６０を参照して取得しこれを変数Ｘに代入する（ステップ２０３）。なお、“画面サイズ”は自己の画面サイズに関する情報が予め記憶部１０２に設定されているものとし、当該設定情報から取得する。
【００２９】
ステップ２０４では番組が変わったか否か（次の番組が開始された場合や、ユーザによるチャンネルの変更など）を判別し、これがあった場合にはステップ２０１へと戻って処理を繰返す。なお、ここでは番組が変わったか否かを判別するものとしているが、映像の解像度が変わったか否かを判別（ＭＰＥＧ部１０７によって判別可能）し、変わったと判断された場合にはステップ２０２へと移行させるものとしてもよい。
【００３０】
ステップ２０５では、焦電センサ１１１１からの出力（電圧）値が所定値（予め設定されて記憶部１０２に記憶されている）を超えたか否か（即ち、装置の前に人が存在するか否か）を判別し、出力値が所定値を超えた場合にステップ２０６へと移行して超音波センサ１１１２に超音波を発射させる。なお、焦電センサ１１１１からの出力値が所定値を超えた状態が一定期間継続した場合にのみステップ２０６へと移行する処理としても良い（これにより、一時的に装置の前を人が横切ったような場合には以下の視聴制限（警告の表示や電源オフ）処理が行われない）。
【００３１】
制御部１０１では、超音波の発射から反射波を検知するまでの時間によって、装置と人との間の距離を算出し、当該距離がＸ（視聴距離）より近いか否かを判別する（ステップ２０７）。装置と人との間の距離がＸ（視聴距離）より遠かった場合にはステップ２０４へと戻って処理を繰返す。なお、当該処理により超音波の発射が極めて短い間隔で連続して発射されることとなるが、超音波の発射が所定間隔で行われる（２回目以降の超音波の発射を所定時間待ってから行う）ようにしてもよい。
【００３２】
装置と人との間の距離がＸ（視聴距離）より近かった場合には、警告部１１０によって「画面に近づきすぎています、画面から離れない場合は電源がオフにされます。」旨の警告メッセージを生成（予め設定されているものであってよい）して、これを表示処理部１０４によって映像に重畳して表示部１０５へと表示させる（ステップ２０８）。なお、この際にも、装置と人との間の距離がＸより近い状態が一定期間継続した場合にのみ警告表示を行わせる処理としても良い。
【００３３】
ステップ２０９では、計時機能を備える制御部１０１によって警告後所定期間を経過したか否かを判別し、所定期間を経過したにもかかわらず未だ装置と人との間の距離がＸより近いと判断される場合には（ステップ２０７〜ステップ２０９）、ステップ２１０へと移行して、制御部１０１と電源制御部１０９によって電源オフ処理を行う。なお、「電源オフ処理」とは、いわゆるスタンバイ状態（装置内の不要な部分への電源供給を停止し、マイコン等の一部の部分は通電状態である状態）にするものや、表示部１０５のみに対する給電の停止をする処理などであってもよい。
【００３４】
上記説明からも明らかなように、本実施例では、制御部１０１と電源制御部１０９によって、若しくは警告部１１０と表示処理部１０４によって（映像に警告が重畳されて表示されることにより、通常の視聴状態ではなくなるため）、“視聴制限部”が構成されることとなる。
【００３５】
以上のごとく、本実施例のデジタルテレビ１によれば、表示中の映像の解像度（及び画面サイズ）の別に応じて、視聴制限が行われる距離（ユーザと装置との距離）も変化することとなるため、それぞれの解像度に応じた適切な視聴距離において映像を視聴させることが可能となる。また、視聴制限（強制的な電源オフ処理）が課せられる前に、視聴者に対する警告がなされるため、ユーザの利便性に優れる。
【００３６】
また、本実施例では、人の存在及び装置からの距離情報を検出するための“視聴者センサ部”を、焦電センサと超音波センサの２つのセンサによって構成しているため、焦電センサのみとした場合に比して距離情報検出の精度を高めることができると共に、比較的安価に“視聴者センサ部”を構成できる。すなわち、一般的な焦電センサモジュールは、検知した赤外線レベルに応じて人がいるかいないか（若しくは移動したか否か）の２値（ハイ／ロー）出力しかできないものであってその距離を測定できるようなものではなく、一方、超音波センサは対象物が人か物かの判断ができないものであるが、本実施例の構成によれば、焦電センサによって人の存在を検知した上で、超音波センサによってその距離を測定しているため、人の存在及び距離を精度良く測定することができる“視聴者センサ部”を、比較的安価に構成できる（一般的なセンサモジュールを利用できるため）のである。
【００３７】
本実施例では、視聴距離テーブルの一例として、各画面サイズについてデータが格納されているもの（図６）を示しており、このようなテーブルとすることで、本処理を実行させるプログラム（プログラム及び視聴距離テーブルを内蔵したデバイス）を複数の製品間（画面サイズの異なる製品間）で共通化することができる（工場出荷時の設定時などに各製品の画面サイズを設定することにより共通のデバイスを使用できる）ため、有用であるが、各製品単体のみに注目した場合には、自己の画面サイズ以外のデータは不要なものと言える。従って、図７にその一例を示したように、製品（画面サイズ）ごとの視聴距離テーブルとしても構わない（図７の視聴距離テーブル７０は、３２Ｗの画面サイズのものを一例とした）。なお、図７のように個別のテーブルとすると、見かけ上は画面サイズに関する情報が無いが、この場合であっても“解像度と画面サイズに応じた視聴距離”であることに変わりはない（画面サイズごとに作成されるものであるため）。
【００３８】
本実施例では、視聴距離の条件を、ＳＤ映像の場合は５Ｈ（Ｈは画面高さ）とし、ＨＤ映像の場合には２Ｈとしているが、これは単なる一例に過ぎず、各解像度に応じた視聴距離の設定は装置の設計思想などに従って適宜変更されて適用される（ユーザによる設定を可能としても良い）ものである。また、本実施例では視聴距離を画面のサイズ（高さ）に比例するものとしているが、これに限るものではなく、画面サイズに応じて個別に視聴距離を定めるものであってよい（比例関係を有するものに限定するものではない）。
【００３９】
本実施例では、視聴制限として電源オフ処理を行うものを例として説明したが、“視聴制限”とは、ユーザに対して画面に接近しすぎであることの注意を促すものであれば一定の目的を果たし得る（人体への悪影響（視力の低下や疲労）の防止をより効果的に得るためには、積極的に電源オフなどの処理をすることが望まれるが、注意を促すことによってユーザが適切な行動をとれば、人体への悪影響の防止効果を得ることができる）ものであるため、通常の視聴状態を妨げる何らかの制限であればよく、電源オフするものの他、例えば、画面の輝度レベルを下げる（画面を暗くする）ことや、画面の一部若しくは全部を消すことや、何らかの画像若しくは文字を表示映像に重畳して表示させるもの等であってよい。従って、警告の表示も“視聴制限”の一部として機能するものである。このように“視聴制限”の動作としては種々の方法を採用することが可能である（例えば、図２のステップ２０８において警告表示の代わりに画面の輝度レベルを下げる処理とし、ステップ２１０において電源オフ処理の代わりに映像表示の中止及び「画面から離れないと映像が表示されません」旨のメッセージの表示を行うようにする等）。
【００４０】
本実施例では、視聴者センサ部を、焦電センサと超音波センサとによって構成するものを例として説明したが、本発明をこれに限るというものではなく、例えば、オートフォーカスのレンズシステムとＣＣＤやＣ−ＭＯＳセンサなどの撮像デバイスを用いてＴＴＬ方式によって焦点を合わせ、同時にレンズシステムに組み込んだ距離エンコーダで正確な距離を求めるようにしてもよい。
【００４１】
本実施例では、超音波センサによる距離測定を、超音波発射から反射波の受信までの時間差に基づいて制御部によって算出するものとしたが、制御部へ入力する超音波センサからの出力を図８に示したような構成とすることにより、検知エリアを複数（図中は３段階）に分けるようにしてもよい。図中の例の場合、近距離の検知を行う感度３と、中距離の検知を行う感度２と、遠距離の検知を行う感度１の出力（遠距離になるに従い反射波の検出レベルが低下するため、それぞれアンプ（１００１・１００２）で増幅すると共に比較器（１００３〜１００５）によって異なる基準値（Ｖ１〜Ｖ３）と比較している）をそれぞれ異なる時間（超音波発射からの時間）に制御部によって検出することで、３つの検知エリアに分けて人の存在を検出するものとしている。このような構成とすることで制御部側の処理を単純化することができる。
【００４２】
本実施例では、映像表示装置の具体例としてデジタルテレビを使用して（特にデジタル放送波の受信表示処理のみについて）説明したが、本発明をこれに限るものではなく、解像度の異なる映像を表示可能な映像表示装置に対して有効に適用できる。例えば、各種の外部装置からの映像信号の入力を得てこれを表示させる映像表示装置（テレビにおいても外部装置からの映像を表示できるものであるが、その他例えばパソコンのモニターなどであってもよい）に対して有効に適用することができる。
【図面の簡単な説明】
【００４３】
【図１】デジタル放送受信装置の本発明に関する構成の概略を示したブロック図
【図２】デジタル放送受信装置の本発明に関する処理の概略を示したフローチャート
【図３】表示画面（メニュー）の一例を示した図
【図４】解像度及び画面サイズに対応する標準視聴条件の一例を示した表
【図５】画面のサイズ（インチ）と画面の対角距離及び高さの対応を示した表
【図６】視聴距離テーブルの一例を示した図
【図７】別の視聴距離テーブルの一例を示した図
【図８】超音波センサから制御部までの構成の概略を示した回路ブロック図
【符号の説明】
【００４４】
１      デジタル放送受信装置（映像表示装置）
６０    視聴距離テーブル
１０１  制御部
１０２  記憶部
１０７  ＭＰＥＧ部（解像度検出部）
１０８  電源部
１０９  電源制御部
１１０  警告部
１１１  視聴者センサ
１１１１  焦電センサ
１１１２  超音波センサ
【図１】
2008042353.tif 000003
【図２】
2008042353.tif 000004
【図３】
2008042353.tif 000005
【図４】
2008042353.tif 000006
【図５】
2008042353.tif 000007
【図６】
2008042353.tif 000008
【図７】
2008042353.tif 000009
【図８】
2008042353.tif 000010